(57)【要約】【課題】  母親が一々操作を施さなくても電話装置の授業中における使用制限をかけられるようにする。【解決手段】  登録されている時間割と現在時刻とから現在時刻が授業時間帯であると判定すると（Ｓ０１ステップのＹ）、母親にしか通話またはメールの送受信ができない授業モードになり（Ｓ０２ステップ）、授業中に通話操作又はメール操作があり（Ｓ０８ステップのＹ、Ｓ１２ステップのＹ）且つその相手先が母親であれば（Ｓ０９ステップのＹ）通信を許可し（Ｓ１０ステップ）、それ以外の相手先であれば通信を禁止する（Ｓ１１ステップ）。【選択図】  図５
2010183414.tif 000002
【特許請求の範囲】
【請求項１】
ユーザのスケジュールを登録するスケジュール登録手段と、現在時刻を計時する計時手段と、電話装置の機能の使用制限をかける制限手段と、を有し、
前記計時手段が前記スケジュール登録手段に登録されているイベントの時刻を計時すると、前記制限手段が電話装置の機能の制限を自動的にかけることを特徴とする電話装置。
【請求項２】
請求項１に記載の電話装置であり、
前記機能の制限は、特定の相手先のみに通信を許可することであることを特徴とする電話装置。
【請求項３】
時間割を登録する時間割登録手段と、現在時刻を計時する計時手段と、電話装置の機能の使用制限をかける制限手段と、を有し、
前記計時手段が前記時間割登録手段により登録されている授業時間を計時すると、前記制限手段が電話装置の機能の制限を自動的にかけることを特徴とする電話装置。
【請求項４】
請求項３に記載の電話装置であり、前記機能の制限は、特定の相手先のみに通話又はメール送受信を許可することであることを特徴とする電話装置。
【請求項５】
少なくとも、特定の相手先のみに通話又はメールの送受信を行うことの
み許可する授業モード、所定時間毎に前記特定の相手先に現在位置の情報を送信する下校モードの２つのモードを有し、
更に、時間割を登録する時間割登録手段と、現在時刻を計時する計時手段と、前記授業モード又は下校モードにモードを切替えるモード切替手段と、を有し、
前記時間割登録手段に登録されている時間割と、前記計時手段が計時する現在時刻との比較に基づいて、前記モード切替手段は、自動的に装置を前記授業モード又は下校モードに切替えることを特徴とする電話装置。
【請求項６】
少なくとも、特定の相手先のみに通話又はメールの送受信を行うことの
み許可する授業モード、所定時間毎に前記特定の相手先に現在位置の情報を送信する下校モードの２つのモードを有し、
更に、入力手段と、時間割を登録する時間割登録手段と、現在時刻を計時する計時手段と、前記授業モード又は下校モードにモードを切替えるモード切替手段と、を有し、
前記入力手段により所定の設定操作が施された後に、前記時間割登録手段に登録されている時間割と、前記計時手段が計時する現在時刻との比較に基づいて、前記モード切替手段は、自動的に装置を前記授業モード又は下校モードに切替え、再度所定の設定操作が施されるまで前記切替が自動的に行われることを特徴とする電話装置。
【発明の詳細な説明】
【技術分野】
【０００１】
本発明は、携帯電話装置等の電話装置に関する。
【背景技術】
【０００２】
近年では、多くの小学生が携帯電話装置を所有するようになっている。携帯電話装置は、子供が学校や塾から家に帰る時に親に容易に電話をかけられるという利点がある反面、子供が授業中にメールを行ったり、或いは親に内緒で有害サイトを見るといった問題も発生している。
【０００３】
そこで、近年では、特定の相手先（例えば親）のみ通話やメールの送受信ができるように設定可能な携帯電話装置が製品化されている（例えば三洋電機製Ａ５５２５ＳＡ等）。この携帯電話装置を活用するにあたり、親が予め携帯電話装置を、特定の相手先のみ通話やメールの送受信ができるようなモードに設定しておき、設定が完了した携帯電話装置を子供に渡すことにより、子供が授業中に友達等とメールをすることができないようにすることができる。
【０００４】
また、子供が有害サイトを見ないようにするための技術が公開特許公報にて掲載されており、例えば特許文献１には、送受信するコンテンツ内容を一時的にメモリに記憶して、有害と思われるキーワードが含まれていれば、表示を禁止する携帯端末が記載されている。
【先行技術文献】
【特許文献】
【０００５】
【特許文献１】特開２００７−２９３３９７号公報
【発明の概要】
【発明が解決しようとする課題】
【０００６】
しかしながら、従来の市販されている携帯電話装置では、親が子供に携帯電話装置を渡す際に一々モードの設定を行わなければならず、操作が非常に面倒である。また、このモード設定を解除するにも親が設定を行わなければならない。このため、親は毎日モードの設定と解除を行わなければならない。
【０００７】
また、引用文献１に記載の技術では、有害と思われるキーワードを複数格納しなければその効果を発揮することができず、有限であるメモリの記憶領域をキーワードで占有したり、コンテンツ内容を一旦保存する容量の大きなメモリを必要とする。その結果、コスト高を招くといった問題が生じる。
【０００８】
そこで、本願発明では、簡単にコストをかけずに、更に親が一々面倒な設定操作を行わなくとも、子供が携帯電話装置を使用するのに制限をかけられる電話装置を提供することを目的としている。
【課題を解決するための手段】
【０００９】
請求項１記載の発明は、ユーザのスケジュールを登録するスケジュール登録手段と、現在時刻を計時する計時手段と、電話装置の機能の使用制限をかける制限手段と、を有し、前記計時手段が前記スケジュール登録手段に登録されているイベントの時刻を計時すると、前記制限手段が電話装置の機能の制限を自動的にかけることを特徴とする。
請求項２記載の発明は、請求項１に記載の電話装置であり、前記機能の制限は、特定の相手先のみに通信を許可することであることを特徴とする。
請求項３記載の発明は、時間割を登録する時間割登録手段と、現在時刻を計時する計時手段と、電話装置の機能の使用制限をかける制限手段と、を有し、前記計時手段が前記時間割登録手段により登録されている授業時間を計時すると、前記制限手段が電話装置の機能の制限を自動的にかけることを特徴とする。
請求項４記載の発明は、請求項３に記載の電話装置であり、前記機能の制限は、特定の相手先のみに通話又はメール送受信を許可することであることを特徴とする。
請求項５記載の発明は、少なくとも、特定の相手先のみに通話又はメールの送受信を行うことのみ許可する授業モード、所定時間毎に前記特定の相手先に現在位置の情報を送信する下校モードの２つのモードを有し、更に、  時間割を登録する時間割登録手段と、現在時刻を計時する計時手段と、前記授業モード又は下校モードにモードを切替えるモード切替手段と、を有し、前記時間割登録手段に登録されている時間割と、前記計時手段が計時する現在時刻との比較に基づいて、前記モード切替手段は、自動的に装置を前記授業モード又は下校モードに切替えることを特徴とする。
請求項６記載の発明は、少なくとも、特定の相手先のみに通話又はメールの送受信を行うことのみ許可する授業モード、所定時間毎に前記特定の相手先に現在位置の情報を送信する下校モードの２つのモードを有し、更に、入力手段と、時間割を登録する時間割登録手段と、現在時刻を計時する計時手段と、前記授業モード又は下校モードにモードを切替えるモード切替手段と、を有し、前記入力手段により所定の設定操作が施された後に、前記時間割登録手段に登録されている時間割と、前記計時手段が計時する現在時刻との比較に基づいて、前記モード切替手段は、自動的に装置を前記授業モード又は下校モードに切替え、所定の設定操作が施されるまで前記切替が自動的に行われることを特徴とする。
【発明の効果】
【００１０】
本発明によれば、登録したスケジュールの時刻に応じて電話装置に使用制限がかかるため、ユーザが一々使用制限をかけるための操作を施す必要がない。
請求項１記載の発明によれば、登録したスケジュールの時刻に応じて自動的に電話装置に使用制限がかかるため、ユーザが一々使用制限をかけるための操作を施す必要がない。
請求項３記載の発明によれば、登録した時間割に応じて自動的に電話装置に使用制限がかかるため、例えば親が携帯電話装置を子供に持たせる場合には、授業中は携帯電話装置を親と連絡を取るといった緊急時以外は使用できないようにすることが可能である。
請求項５記載の発明によれば、更に下校時刻になると自動的に所定時間毎に親に電話装置の現在位置情報を送信するため、親は子供が無事でいるか否かを確認することが可能である。
請求項６記載の発明によれば、例えば親が携帯電話装置を子供に持たせる場合には、親が一旦電話装置に特定の操作を施した後は、電話装置は登録されている時間割に基づいて自動的に授業中のモードとすることが可能である為、授業中は携帯電話装置を親と連絡を取るといった緊急時以外は使用できないようにすることが可能である。更に、下校時刻になると自動的に所定時間毎に親に電話装置の現在位置情報を送信するため、親は子供が無事でいるか否かを確認することが可能である。
【図面の簡単な説明】
【００１１】
【図１】本発明を適用してなる実施例装置の正面図である。
【図２】本実施例装置のブロック図である。
【図３】ペア相手先を表示している画面である。
【図４】時間割を表示している画面である。
【図５】本実施例装置の動作を示すフロー図である。
【発明を実施するための形態】
【００１２】
次に本実施例装置について説明する。本実施例装置として携帯電話装置を一例に実施しているが、本発明は、携帯電話装置だけでなく携帯可能な電話装置であれば同様に適用可能である。
【実施例】
【００１３】
図１は本発明を適用してなる実施例装置である電話装置（例えば携帯電話装置）の正面
図である。図１において、本実施例装置は折畳式の携帯電話装置であり、表示部２６、メールキー５６、ペアキー５７、通話キー５１、切キー５２、テンキー５８等を有している。
図２は本実施例装置の機能ブロック図である。図２に示すように、携帯電話装置１０は、アンテナ１１と接続された通信部１２を備えている。この通信部１２は、後述のベースバンド部１３からの信号をアンテナ１１を介して基地局へ発信し、あるいはアンテナ１１を介して基地局からの電波を受信する。
【００１４】
また、通信部１２は、ベースバンド部１３と接続されている。ベースバンド部１３は、ＣＤＭＡ処理回路１４と、音声コーデック１５と、を有している。ここで、ＣＤＭＡ処理回路１４は、符号分割多元接続、スクランブル、誤り制御、タイミング検出を行う。また、音声コーデック１５は、音声を圧縮（符号化）、伸張（復号化）したり、アナログとデジタルの変換を行ったり、内部の増幅回路（図示省略）により受話音量やマイクロホンの感度を変更する。
【００１５】
また、ベースバンド部１３には、切替回路１６が接続されている。この切替回路１６には、増幅回路１７を介して第１スピーカ１８が接続されている。この第１スピーカ１８は、増幅回路１７で増幅されたベースバンド部１３の電気信号を音声に変換する。この第１スピーカ１８は、ユーザの耳にあてて通話に使用される。
【００１６】
また、切替回路１６には、増幅回路１９を介してマイクロホン２０が接続されている。このマイクロホン２０は、通話に使用され、音声を電気信号に変換する。マイクロホン２０により出力された電気信号は、増幅回路１９で増幅されてベースバンド部１３に出力される。
【００１７】
また、切替回路１６には、増幅回路２１を介して第２スピーカ２２が接続されている。この第２スピーカ２２は、増幅回路２１で増幅されたベースバンド部１３の電気信号を音声に変換する。この第２スピーカ２２は、受話音を周囲の人にも聞かせるための拡声用のスピーカである。また、第２スピーカ２２は、着信報知の鳴動も行う。
【００１８】
この切替回路１６は、ベースバンド部１３との接続を、第１スピーカ１８用の増幅回路１７とマイクロホン２０用の増幅回路１９側にするか、あるいは拡声用の第２スピーカ２２用の増幅回路２１とマイクロホン２０用の増幅回路１９側にするかを切り替える。
【００１９】
また、通信部１２、ベースバンド部１３、切替回路１６には、制御回路（制御部）２３がそれぞれ接続されている。この制御回路２３の制御により上述した切替回路１６による切り替えが行われる。また、制御回路２３によりベースバンド部１３の音声コーデック１５が制御され、音声コーデック１５により第１スピーカ１８及び第２スピーカ２２の音量やマイクロホン２０の感度が変更される。制御回路２３には、ＲＯＭ２４が接続されており、ＲＯＭ２４に格納されているシステムプログラムに基づき各部を制御する。
フラッシュメモリ２５には、相手先の電話番号、氏名、Ｅメールアドレス等の相手先情報を対で複数件格納可能な電話帳メモリとしての機能、特定の相手先（例えば、親）の電話番号、氏名、Ｅメールアドレスをペア相手先として格納する機能（この機能はペア機能で使用される）、ユーザの時間割を登録する機能（この機能は時間割機能で使用される）、等を有している。
尚、このペア機能では、ユーザがペアキーを押下することにより、図３に示すような画面が表示される。この画面の右側には、ペア相手先であるユーザの母親に関する情報１００が表示される。具体的には、母親の顔写真や電話番号「０９０ＸＸＸＸＸＸ」、Ｅメールアドレス「ＸＸＸ＠ezweb.ne.jp」が表示される。また、画面左側には、電話、Ｅメール、Ｃメール、ＧＰＳ、登録・確認等の各種コマンド１１０が表示される。この状態でユーザが、通話キー５１を押下すると、母親の電話番号へ発呼がなされ、メールキー５６を押下すると、メール作成画面になる。また、画面上側には１〜５の数字が表示され、５件分の相手先をペア相手先として登録可能であり、ユーザが十字キーを操作することによりこの５件の相手先の内いずれかの相手先を選択可能である。
また、時間割機能では、図４に示すように、毎日の授業内容が登録可能であり、例えば月曜日から金曜日の１時間目から６時間目までの授業内容が登録可能である。また、各授業の開始時刻と終了時刻、休憩開始から休憩終了までの時間も登録可能である。
表示部２６は例えばＬＣＤ（Liquid Crystal Display）等からなり、フラッシュメモリ２５に格納されている各種データや、後述する入力部５０から入力された電話番号や氏名等の各種入力データ等が表示される。
この入力部５０は、通話を開始指示する為の通話キー５１、通話の終了を指示する為の切キー５２、項目を選択する為のカーソル移動等に用いられる十字キー５３、選択されている項目を決定する為の決定キー５４、前の項目に戻る為のクリアキー５５、メール作成画面を表示する為のメールキー５６、ペア相手先を表示する為のペアキー５７、電話番号等を入力するためのテンキー５８を有している。
ＧＰＳ処理部６１はアンテナ６０と接続されており、衛星から経度緯度等の位置情報を受信し復調する。
【００２０】
次に本実施例装置の動作について、図５のフロー図に基づき以下に説明する。まず、本実施例装置の動作の説明に入る前に、本実施例装置には４つのモードが存在することを説明する。１つめは、通常の携帯電話装置のように、何も使用制限が掛かっていないモード（通常モード）、２つめは、インターネットの閲覧と通話時間の制限を掛けられるモード（ジュニアモード（登録商標））、３つめは、ペア機能で設定した相手先（ペア相手先）との通話とメールしか実行できないモード、即ち、授業時間帯で実行されるモード（授業モード）、４つめは、下校時間になると学校から家に到着するまでにペア相手先に現在位置を所定時間毎に自動的に送信すると共に、授業モードから通話やメールの相手先の制限を解除したモードである下校モード、が存在する。
【００２１】
即ち、本実施例装置では、授業時間帯になると、携帯電話装置が自動的に授業モードとなり、この時間帯ではペア相手先（例えばユーザのお母さん）との通話とメールしか実行することができない。次に、下校時間になると、携帯電話装置が自動的に下校モードとなり、この時間帯では、携帯電話装置はペア相手先に所定時間毎（例えば１０分毎）に位置情報を送信する。また、下校モードでは、通話やメールの相手先の制限が解除されるため、ユーザは友達等と電話やメールをすることができる。
【００２２】
尚、本実施例装置の動作に入る前に、例えばユーザのお母さんが、携帯電話装置がジュニアモード（登録商標）（インターネットの閲覧と通話時間の制限を掛けられるモード）となるように設定する。
【００２３】
次に図５を用いて本実施例装置の動作について説明する。図２のＳ０１ステップにおいて、制御回路２３は、現在時刻がフラッシュメモリ２５に格納されている授業時間帯であると判定するとＳ０２ステップへ処理を進める。尚、制御回路２３は、現在時刻を計時するタイマ（図示せず）を有しており、基地局から所定時間毎或いは基地局との通信時に受信した時刻情報に基づいてタイマを時刻補正している。このタイマが計時する時刻とフラッシュメモリ２５に格納されている授業時刻、即ち、月曜日〜金曜日の授業時間帯とを比較し、現在授業時間であるか否かを判定している。
【００２４】
Ｓ０２ステップでは、制御回路２３は使用制限モード、ここでは、ペア機能で設定した相手先（例えばお母さん）との通話とメールしか実行できないモード、即ち、授業モードを開始する。
【００２５】
続くＳ０３ステップでは、制御回路２３は、入力部５０からキー操作があると判定するとＳ０８ステップへ処理を進め、そうでなければＳ０４ステップへ処理を進める。
【００２６】
Ｓ０４ステップでは、制御回路２３は、現在時刻が下校時刻であると判定すると、Ｓ０５ステップへ処理を進め、そうでなければＳ０３ステップへ処理を戻す。尚、制御回路２３は、図示せぬタイマが計時する時刻とフラッシュメモリ２５に格納されている授業時刻、即ち、月曜日〜金曜日の授業時間帯とを比較し、現在時刻が授業時間を経過したと判定すると下校時刻であると判定する。
【００２７】
Ｓ０５ステップでは、制御回路２３は、ペア相手先に所定時間毎（例えば１０分毎）に位置情報を送信する下校モードになる。このとき、制御回路２３はＧＰＳ処理部６１から所定時間毎に位置情報を受信して、ペア相手先に通信部１２を介して位置情報を送信する。尚、この位置情報の送信は例えばペア相手先のメールアドレスに、位置情報を添付したメールを送信する方法等により行う。また、ユーザが家に到着するまでにこの位置情報の送信は継続され、ユーザが家に到着すると、位置情報の送信が停止する。
【００２８】
Ｓ０６ステップでは、制御回路２３は、入力部５０から解除操作があると判定すると、Ｓ０７ステップにおいて下校モードを解除する。尚、下校モードが解除すると何も制限がかけられていない通常モードとなる。
【００２９】
Ｓ０８ステップでは、制御回路２３は、前記Ｓ０３ステップでの操作が通話操作であると判定するとＳ０９ステップへ処理を進め、そうでなければＳ１２ステップへ処理を進める。具体的には、ペアキー５７が押下されて図３に示すようなペア相手先が表示されている状態で通話キー５１が押下された、或いは通常の待ち受け状態でテンキー５８から電話番号が入力されたと判定すると、Ｓ０９ステップへ処理を進める。
【００３０】
Ｓ０９ステップで、制御回路２３は、ペア相手先であればＳ１０ステップで通信動作を行い、一方、そうでなければ通信を禁止すると共に通信できませんと表示部２６にメッセージを表示する。
具体的には、Ｓ０８ステップでペア相手先を表示した状態で通話キー５１が操作された場合、或いはペア相手先の電話番号がテンキー５８で入力された場合には、ペア相手先と判定し（Ｓ０９ステップのＹ）、フラッシュメモリ２５からペア相手先の電話番号を読取り、ベースバンド部１３、通信部１２を制御することにより読取った電話番号へ発呼をかける（Ｓ１０ステップ）。一方、後述するＳ１２ステップにおいて、ペア相手先を表示した状態でメールキー５６が操作された場合、或いはペア相手先のメールアドレスが指定された場合には（Ｓ０９ステップのＹ）、メール作成画面を表示し、ユーザのメール本文作成後に、フラッシュメモリ２５からペア相手先のメールアドレスを読取り、ベースバンド部１３、通信部１２を制御することにより作成したメールアドレスへメール送信を行う（Ｓ１０ステップ）。
【００３１】
一方、Ｓ０３ステップにおける入力がペア相手先以外の電話番号やメールアドレスであれば、通信を禁止すると共に通信できませんと表示部２６にメッセージを表示する（Ｓ１１ステップ）。
【００３２】
Ｓ１２ステップでは、制御回路２３は、前記Ｓ０３ステップでの操作がメール作成操作であると判定するとＳ０９ステップへ処理を進め、そうでなければＳ１３ステップへ処理を進める。具体的には、ペアキー５７が押下されて図３に示すようなペア相手先が表示されている状態でメールキー５６が押下された、或いは通常の待ち受け状態でメール本文の作成とメールアドレスの入力があれば、Ｓ０９ステップへ処理を進める。
【００３３】
Ｓ１３ステップでは、制御回路２３は、入力部５０から解除操作があると判定すると、Ｓ１４ステップにおいて授業モードを解除し、処理を終了する。尚、授業モードが解除すると何も制限がかけられていない通常モードとなる。
【００３４】
このように、本実施例装置では、親が一旦ジュニアモード（登録商標）に設定すると、後は授業時間帯になれば自動的に授業モードになり、一方、下校時刻になれば下校モードになる。この為、ユーザの親が子供に携帯電話装置を渡す度に一々携帯電話装置の使用制限をかける操作を行う必要がなく、また、子供が家に帰ってから親が一々使用制限の解除操作を行う必要がない。
【００３５】
尚、本実施例装置では、時間割に応じてモードが自動的に変わる構成としたが、スケジュール機能を搭載した携帯電話装置において、スケジュールに登録したイベント（例えば、誕生日パーティー、結婚式、合コン、デート等）の発生時間帯に応じてモードを変化する構成としても良い。この場合、例えば、合コンやデート等には特定の相手先（例えば、恋人等）との通信のみ受け付けるように自動的にモードを変更させることができる。
【符号の説明】
【００３６】
１０      電話装置
２３      制御回路
２４      ＲＯＭ
２５      フラッシュメモリ
５１      通話キー
５２      切キー
５６      メールキー
５７      ペアキー
６１      ＧＰＳ処理部
【図１】
2010183414.tif 000003
【図２】
2010183414.tif 000004
【図３】
2010183414.tif 000005
【図４】
2010183414.tif 000006
【図５】
2010183414.tif 000007